(57)【特許請求の範囲】
【請求項１】
空気を冷却する冷房用熱交換器（１２）と、
前記冷房用熱交換器（１２）より下流側に配置され、前記冷房用熱交換器（１２）を通過した空気を加熱する暖房用熱交換器（１３）と、
前記冷房用熱交換器（１２）で冷却された冷風が前記暖房用熱交換器（１３）をバイパスして流れる前席用冷風バイパス通路（１５）と、
前記暖房用熱交換器（１３）を通過する温風と前記前席用冷風バイパス通路（１５）を通過する冷風との風量割合を調整する前席用エアミックスドア（２０）と、
前記暖房用熱交換器（１３）からの温風と前記前席用冷風バイパス通路（１５）からの冷風とを混合した空気が流出する前席用吹出開口部（２５、２９、３０）と、
前記冷房用熱交換器（１２）で冷却された冷風が前記暖房用熱交換器（１３）をバイパスして流れる後席用冷風バイパス通路（３２）と、
前記暖房用熱交換器（１３）を通過する温風と前記後席用冷風バイパス通路（３２）を通過する冷風との風量割合を調整する後席用エアミックスドア（３８）と、
前記暖房用熱交換器（１３）からの温風と前記後席用冷風バイパス通路（３２）からの冷風とを混合した空気が流出する後席用吹出開口部（４３、４４）とを備える車両用空調装置において、
前記暖房用熱交換器（１３）の空気出口側に、前記暖房用熱交換器（１３）の空気流路を前席用流路（１８）と後席用流路（１９）とに仕切る切替ドア（３５）を配置し、
前記前席用吹出開口部として、車両窓ガラス内面に向けて空気を吹き出すデフロスタ吹出開口部（２５）を備えており、
更に、前席側の吹出モードとして、前記デフロスタ吹出開口部（２５）から車両窓ガラス内面に向けて空気を吹き出すデフロスタモードが選択されたことを示す信号を出すデフロスタモード信号手段（６１）と、
前記後席用吹出開口部（４３、４４）からの空気吹出の必要がないことを示す信号を出す後席側シャット信号手段（６５）と、
前記切替ドア（３５）を駆動する駆動手段（７１）と、
前記デフロスタモード信号手段（６１）および前記後席側シャット信号手段（６５）からの信号が入力される制御手段（５０）とを備え、
通常時は、前記制御手段（５０）により前記駆動手段（７１）を介して前記切替ドア（３５）を前記前席用流路（１８）と前記後席用流路（１９）との仕切り位置に操作し、
一方、前記デフロスタモード時、および前記後席用吹出開口部（４３、４４）からの空気吹出の必要がないときには、前記制御手段（５０）により前記駆動手段（７１）を介して前記切替ドア（３５）を前記暖房用熱交換器（１３）の空気流路全体が前席用流路となる位置に操作し、
前記切替ドア（３５）を前記暖房用熱交換器（１３）の空気流路全体が前席用流路となる位置に操作するときは、前記後席用エアミックスドア（３８）を前記後席用冷風バイパス通路（３２）の全閉位置に操作することを特徴とする車両用空調装置。
【請求項２】
空気を冷却する冷房用熱交換器（１２）と、
前記冷房用熱交換器（１２）より下流側に配置され、前記冷房用熱交換器（１２）を通過した空気を加熱する暖房用熱交換器（１３）と、
前記冷房用熱交換器（１２）で冷却された冷風が前記暖房用熱交換器（１３）をバイパスして流れる前席用冷風バイパス通路（１５）と、
前記暖房用熱交換器（１３）を通過する温風と前記前席用冷風バイパス通路（１５）を通過する冷風との風量割合を調整する前席用エアミックスドア（２０）と、
前記暖房用熱交換器（１３）からの温風と前記前席用冷風バイパス通路（１５）からの冷風とを混合した空気が流出する前席用吹出開口部（２５、２９、３０）と、
前記冷房用熱交換器（１２）で冷却された冷風が前記暖房用熱交換器（１３）をバイパスして流れる後席用冷風バイパス通路（３２）と、
前記暖房用熱交換器（１３）を通過する温風と前記後席用冷風バイパス通路（３２）を通過する冷風との風量割合を調整する後席用エアミックスドア（３８）と、
前記暖房用熱交換器（１３）からの温風と前記後席用冷風バイパス通路（３２）からの冷風とを混合した空気が流出する後席用吹出開口部（４３、４４）とを備える車両用空調装置において、
前記暖房用熱交換器（１３）の空気出口側に、前記暖房用熱交換器（１３）の空気流路を前席用流路（１８）と後席用流路（１９）とに仕切る切替ドア（３５）を配置し、
通常時は、前記切替ドア（３５）を前記前席用流路（１８）と前記後席用流路（１９）との仕切り位置に操作し、
一方、前記後席用吹出開口部（４３、４４）からの空気吹出の必要がないときは、前記切替ドア（３５）を前記暖房用熱交換器（１３）の空気流路全体が前席用流路となる位置に操作し、
前記切替ドア（３５）を前記暖房用熱交換器（１３）の空気流路全体が前席用流路となる位置に操作するときは、前記後席用エアミックスドア（３８）を前記後席用冷風バイパス通路（３２）の全閉位置に操作することを特徴とする車両用空調装置。
【請求項３】
前記前席用吹出開口部として、車両窓ガラス内面に向けて空気を吹き出すデフロスタ吹出開口部（２５）を備えており、
前席側の吹出モードとして、前記デフロスタ吹出開口部（２５）から車両窓ガラス内面に向けて空気を吹き出すデフロスタモードが選択されると、前記切替ドア（３５）を前記暖房用熱交換器（１３）の空気流路全体が前席用流路となる位置に操作することを特徴とする請求項２に記載の車両用空調装置。
【発明の詳細な説明】
【０００１】
【発明の属する技術分野】
本発明は特に、前席側への吹出空気温度と後席側への吹出空気温度とを独立に制御可能な車両用空調装置に関するものである。
【０００２】
【従来の技術】
従来、車室内の前席側および後席側への吹出空気温度を独立に制御可能な車両用空調装置では、暖房用熱交換器として前席側および後席側で共通の１つの熱交換器を空調ケース内に備え、この暖房用熱交換器を通過する温風と暖房用熱交換器をバイパスする冷風との風量割合を調整する前席用および後席用エアミックスドアを独立に設置している。
【０００３】
そして、暖房用熱交換器の空気出口側に、暖房用熱交換器の空気流路を前席用流路と後席用流路とに仕切る仕切り壁を配置するものが知られている。
【０００４】
【発明が解決しようとする課題】
しかし、上記の従来技術においては、前席用流路と後席用流路とに仕切る仕切り壁が空調ケースに対して位置不動な固定壁であるので、暖房用熱交換器の空気流路は常に前席用流路と後席用流路とに仕切られたままである。その結果、デフロスタモードのように、最大の暖房能力でもって窓ガラスの曇りを短時間で除去したい場合でも、暖房用熱交換器のうち後席用流路の部分はデフロスタ吹出空気の加熱のために利用することができない。従って、暖房用熱交換器の全体を使用してデフロスタ能力を向上させることができず、実用上不都合である。
【０００５】
また、後席側に乗員が乗車しておらず、後席側に温風を吹き出す必要のない場合（後席側シャット状態）でも、暖房用熱交換器の後席用流路の部分は前席側吹出空気の加熱のために利用することができないので、前席側の暖房能力向上にとって不利である。
本発明は上記点に鑑みてなされたもので、暖房用熱交換器の空気流路を前席用流路と後席用流路とに仕切り、前席側および後席側への吹出空気温度を独立に制御可能な機能を持つ車両用空調装置において、前席側の暖房能力を高める必要のあるときは、暖房用熱交換器の空気流路全体を利用して前席側暖房能力を向上できるようにすることを目的とする。
【０００６】
【課題を解決するための手段】
上記目的を達成するため、請求項１記載の発明では、暖房用熱交換器（１３）の空気出口側に、暖房用熱交換器（１３）の空気流路を前席用流路（１８）と後席用流路（１９）とに仕切る切替ドア（３５）を配置し、
前席用吹出開口部として、車両窓ガラス内面に向けて空気を吹き出すデフロスタ吹出開口部（２５）を備えており、
更に、前席側の吹出モードとして、デフロスタ吹出開口部（２５）から車両窓ガラス内面に向けて空気を吹き出すデフロスタモードが選択されたことを示す信号を出すデフロスタモード信号手段（６１）と、
後席用吹出開口部（４３、４４）からの空気吹出の必要がないことを示す信号を出す後席側シャット信号手段（６５）と、
切替ドア（３５）を駆動する駆動手段（７１）と、
デフロスタモード信号手段（６１）および後席側シャット信号手段（６５）からの信号が入力される制御手段（５０）とを備え、
通常時は、制御手段（５０）により駆動手段（７１）を介して切替ドア（３５）を前席用流路（１８）と後席用流路（１９）との仕切り位置に操作し、
一方、デフロスタモード時、および後席用吹出開口部（４３、４４）からの空気吹出の必要がないときには、制御手段（５０）により駆動手段（７１）を介して切替ドア（３５）を暖房用熱交換器（１３）の空気流路全体が前席用流路となる位置に操作し、
切替ドア（３５）を暖房用熱交換器（１３）の空気流路全体が前席用流路となる位置に操作するときは、後席用エアミックスドア（３８）を後席用冷風バイパス通路（３２）の全閉位置に操作することを特徴としている。
【０００７】
これによると、暖房用熱交換器（１３）の空気流路の仕切り壁が従来のような固定壁でなく、可動式の切替ドア（３５）で構成されるため、通常時は、切替ドア（３５）により暖房用熱交換器（１３）の空気流路を前席用流路（１８）と後席用流路（１９）とに仕切ることができる。そのため、暖房用熱交換器（１３）の前席用流路（１８）で加熱された温風と、前席用冷風バイパス通路（１５）からの冷風との風量割合を前席用エアミックスドア（１６）により調整して、前席用吹出開口部（２５、２９、３０）からの吹出空気温度を独立に調整できる。
【０００８】
また、暖房用熱交換器（１３）の後席用流路（１９）で加熱された温風と、後席用冷風バイパス通路（３２）からの冷風との風量割合を後席用エアミックスドア（３８）により調整して、後席用吹出開口部（４３、４４）からの吹出空気温度を独立に調整できる。従って、車室内前後への吹出空気温度を独立制御できる。
【０００９】
しかも、デフロスタモード時に、切替ドア（３５）を暖房用熱交換器（１３）の空気流路全体が前席用流路となる位置に操作するから、暖房用熱交換器（１３）の全加熱能力を利用して、デフロスタ吹出空気を加熱することができる。
そのため、車室内前後への独立温度制御機能を持つものにおいても、デフロスタモード時に前席側暖房能力を効果的に高めて、デフロスタ能力を向上できるので、車両窓ガラスが曇った場合でも、窓ガラスの曇りを短時間で除去することが可能となり、車両運転上の安全性確保のために極めて有利である。
また、後席用吹出開口部（４３、４４）からの空気吹出の必要がないときには、切替ドア（３５）を暖房用熱交換器（１３）の空気流路全体が前席用流路となる位置に操作するから、後席側に乗員が乗車していない場合等において、前席側暖房能力を効果的に高めることができる。
そして、デフロスタモード時および後席側への空気吹出の必要がないときに、デフロスタモード信号手段（６１）および後席側シャット信号手段（６５）からの信号入力に基づいて制御手段（５０）により駆動手段（７１）を介して切替ドア（３５）の切替動作を自動的に行うから、デフロスタモード時および後席側への空気吹出の必要がないときに、自動的に前席側暖房能力を高めることができる。
また、切替ドア（３５）を暖房用熱交換器（１３）の空気流路全体が前席用流路となる位置に操作するときは、後席用エアミックスドア（３８）を後席用冷風バイパス通路（３２）の全閉位置に操作するから、後席側へ冷風が吹き出すことを防止できるとともに、後席側への無駄な吹出を停止して、送風機（３）の全送風能力をすべて前席側暖房能力の向上のために利用できる。
なお、請求項１において、デフロスタモード信号手段は、具体的には、乗員により操作される吹出モード設定器（６１）により構成することができ、また、後席側シャット信号手段は、乗員により操作される後席側吹出シャットスイッチ（６５）により構成することができる。
【００１０】
また、請求項２記載の発明では、暖房用熱交換器（１３）の空気出口側に、暖房用熱交換器（１３）の空気流路を前席用流路（１８）と後席用流路（１９）とに仕切る切替ドア（３５）を配置し、
通常時は、切替ドア（３５）を前席用流路（１８）と後席用流路（１９）との仕切り位置に操作し、
一方、後席用吹出開口部（４３、４４）からの空気吹出の必要がないときは、切替ドア（３５）を暖房用熱交換器（１３）の空気流路全体が前席用流路となる位置に操作し、
切替ドア（３５）を暖房用熱交換器（１３）の空気流路全体が前席用流路となる位置に操作するときは、後席用エアミックスドア（３８）を後席用冷風バイパス通路（３２）の全閉位置に操作することを特徴としている。
これによると、後席用吹出開口部（４３、４４）からの空気吹出の必要がないときには、切替ドア（３５）を暖房用熱交換器（１３）の空気流路全体が前席用流路となる位置に操作するから、後席側に乗員が乗車していない場合等において、前席側暖房能力を効果的に高めることができる。
また、切替ドア（３５）を暖房用熱交換器（１３）の空気流路全体が前席用流路となる位置に操作するときは、後席用エアミックスドア（３８）を後席用冷風バイパス通路（３２）の全閉位置に操作するから、後席側へ冷風が吹き出すことを防止できるとともに、後席側への無駄な吹出を停止して、送風機（３）の全送風能力をすべて前席側暖房能力の向上のために利用できる。
【００１１】
また、請求項３記載の発明では、前席用吹出開口部として、車両窓ガラス内面に向けて空気を吹き出すデフロスタ吹出開口部（２５）を備えており、前席側の吹出モードとして、デフロスタ吹出開口部（２５）から車両窓ガラス内面に向けて空気を吹き出すデフロスタモードが選択されると、切替ドア（３５）を暖房用熱交換器（１３）の空気流路全体が前席用流路となる位置に操作することを特徴としている。
【００１２】
これによると、請求項１と同様に、デフロスタモード時に前席側暖房能力を効果的に高めて、デフロスタ能力を向上できるので、車両窓ガラスが曇った場合でも、窓ガラスの曇りを短時間で除去することが可能となり、車両運転上の安全性確保のために極めて有利である。
【００１５】
また、請求項６記載の発明では、暖房用熱交換器（１３）の空気出口側に、暖房用熱交換器（１３）の空気流路を前席用流路（１８）と後席用流路（１９）とに仕切る切替ドア（３５）を配置し、通常時は、切替ドア（３５）を前席用流路（１８）と後席用流路（１９）との仕切り位置に操作し、一方、前席側への暖房能力を高める必要のあるときは、切替ドア（３５）を暖房用熱交換器（１３）の空気流路全体が前席用流路となる位置に操作し、後席用吹出開口部（４３、４４）からの空気吹出の必要がないときは、切替ドア（３５）を暖房用熱交換器（１３）の空気流路全体が前席用流路となる位置に操作することを特徴としている。これによると、請求項４記載の発明と同様に、空気吹出の必要がないときに、前席側暖房能力を効果的に高めることができる。
なお、上記各手段の括弧内の符号は、後述する実施形態記載の具体的手段との対応関係を示すものである。
【００１６】
【発明の実施の形態】
以下、本発明の実施形態を図に基づいて説明する。
（第１実施形態）
図１は、第１実施形態における車両用空調装置の通風系の全体構成を示すもので、通風系は、大別して、送風機ユニット１と、空調ユニット１０との２つの部分に分かれている。送風機ユニット１は車室内の計器盤下方部のうち、中央部から助手席側へオフセットして配置されており、これに対し、空調ユニット１０は車室内の計器盤下方部のうち、車両左右方向の略中央部に配置されている。
【００１７】
送風機ユニット１は周知のごとく内外気切替箱２とこの内外気切替箱２を通して空気を吸入して送風する送風機３とから構成されている。内外気切替箱２には外気（車室外空気）を導入する外気導入口４と、内気（車室内空気）を導入する内気導入口５が形成されている。この両導入口４、５は内外気切替ドア６により開閉される。送風機３は、遠心式ファン７と駆動用モータ８とスクロールケース９とから構成されている。
【００１８】
空調ユニット１０部は、具体的には図２に示す構成となっており、１つの共通の空調ケース１１内に蒸発器（冷房用熱交換器）１２とヒータコア（暖房用熱交換器）１３を両方とも一体的に内蔵するタイプのものである。空調ケース１１はポリプロピレンのような、ある程度の弾性を有し、強度的にも優れた樹脂の成形品からなる。
【００１９】
空調ケース１１は具体的には複数の分割ケースからなり、この複数の分割ケースは、上記熱交換器１２、１３、後述のドア等の機器を収納した後に、金属バネクリップ、ネジ等の締結手段により一体に結合されて空調ユニット１０を構成する。
空調ユニット１０部は、車室内の計器盤下方部の略中央部に、車両の前後方向および上下方向に対して、図２に示す形態で配置されている。空調ケース１１の、最も車両前方側の部位の側面には空気入口１４が形成されている。この空気入口１４には、前述の送風機ユニット１のスクロールケース９からの送風空気が流入する。
【００２０】
空調ケース１１内において空気入口１４直後の部位に蒸発器１２が配置されている。この蒸発器１２は車両前後方向には薄型の形態で空調ケース１１内通路を横断するように上下方向に配置されている。従って、蒸発器１２の車両上下方向に延びる前面に空気入口１４からの送風空気が流入する。この蒸発器１２は周知のごとく冷凍サイクルの冷媒の蒸発潜熱を空調空気から吸熱して、空調空気を冷却するものである。
【００２１】
そして、蒸発器１２の空気流れ下流側（車両後方側）に、所定の間隔を開けてヒータコア１３が配置されている。このヒータコア１３は空調ケース１１内の下方側において、車両後方側に傾斜して配置されている。なお、図示しないが、蒸発器１２およびヒータコア１３の車両左右方向の幅寸法は、空調ケース１１の幅寸法と略同等に設計されている。
【００２２】
ヒータコア１３は、蒸発器１２を通過した冷風を再加熱するものであって、その内部に高温の温水（エンジン冷却水）が流れ、この温水を熱源として空気を加熱するものである。空調ケース１１内の空気通路において、ヒータコア１３の上方部位には、このヒータコア１３をバイパスして空気（冷風）が流れる前席用冷風バイパス通路１５が形成されている。
【００２３】
ここで、ヒータコア１３は周知のごとく温水が通過する偏平チューブとこれに接合されたコルゲートフィンとからなる熱交換用コア部１３ａを有しており、この熱交換用コア部１３ａの空気流路は仕切り壁１６、１７により、前席用流路１８と後席用流路１９とに仕切られている。ここで、仕切り壁１６、１７は空調ケース１１内部で、車両幅方向（図２の紙面垂直方向）の全長にわたって延びるように形成されており、空調ケース１１と一体成形することができる。
【００２４】
また、ヒータコア１３と蒸発器１２との間の部位には平板状の前席用エアミックスドア２０が配置されている。この前席用エアミックスドア２０は、ヒータコア１３の熱交換用コア部１３ａの前席用流路１８で加熱される温風と、前席用冷風バイパス通路１５を通ってヒータコア１３をバイパスする冷風との風量割合を調整する。
【００２５】
前席用エアミックスドア２０は水平方向（車両幅方向）に配置された回転軸２１と一体に結合されており、この回転軸２１を中心として車両上下方向に回動可能になっている。この前席用エアミックスドア２０は上記風量割合の調整により車室内前席側への吹出空気温度を調整する前席側温度調整手段をなす。回転軸２１は、空調ケース１１に回転自在に支持され、かつ回転軸２１の一端部は空調ケース１１の外部に突出して、図示しないリンク機構を介して、サーボモータ等を用いたアクチュエータ機構に連結され、このアクチュエータ機構によりエアミックスドア２０の回動位置を調整するようになっている。
【００２６】
一方、空調ケース１１において、ヒータコア１３の空気下流側（車両後方側）の部位には、ヒータコア１３との間に所定間隔を開けて上下方向に延びる壁面２２が空調ケース１１に一体成形されている。この壁面２２によりヒータコア１３の直後から上方に向かう前席用温風通路２３が形成されている。この前席用温風通路２３の下流側（上方側）はヒータコア１３の上方部において冷風バイパス通路１５の下流側と合流し、冷風と温風の混合を行う前席用空気混合部２４を形成している。
【００２７】
そして、空調ケース１１の上面部において、前席用空気混合部２４に隣接する部位にデフロスタ開口部２５が開口している。このデフロスタ開口部２５は空気混合部２４から温度制御された空調空気が流入するものであって、図示しないデフロスタダクトを介してデフロスタ吹出口に接続され、このデフロスタ吹出口から、車両前面窓ガラスの内面に向けて風を吹き出す。
【００２８】
デフロスタ開口部２５は平板状のデフロスタドア２６により開閉される。このデフロスタドア２６は、空調ケース１１の上面部近傍にて水平方向に配置された回転軸２７により回動するようになっている。デフロスタドア２６はデフロスタ開口部２５と連通口２８を切替開閉する。この連通口２８は空気混合部２４からの空調空気を後述の前席用フェイス開口部２９と前席用フット開口部３０側へ流すための通路となる。
【００２９】
空調ケース１１の上面部において、デフロスタ開口部２５よりも車両後方側（乗員寄り）の部位にフェイス開口部２９が設けられており、このフェイス開口部２９は図示しないフェイスダクトを介して、計器盤上方側に配置されているフェイス吹出口に接続され、このフェイス吹出口から車室内の乗員頭部に向けて風を吹き出す。
【００３０】
次に、空調ケース１１において、フェイス開口部２９の下方側にフット開口部３０が設けられている。このフット開口部３０は、空調ケース１１の左右両側の側面に開口しており、図示しない左右両側の前席用フット吹出口を経て前席の運転席側および助手席側の乗員足元に空気を吹き出す。
上記の両開口部２９、３０の間に平板状のフットフェイス切替用ドア３１が回転軸３１ａにより回動可能に配置され、この切替用ドア３１によりフェイス開口部２９とフット開口部３０の入口部３０ａが切替開閉される。ここで、デフロスタドア２６とフットフェイス切替用ドア３１は、前席用吹出モード切替手段であって、図示しないリンク機構を介して、サーボモータ等からなるアクチュエータ機構に連結されて、このアクチュエータ機構により連動操作されるようになっている。
【００３１】
次に、空調ケース１１の内部においてヒータコア１３の下方側部位に、蒸発器１２出口からの冷風をヒータコア１３をバイパスして通過させる後席用冷風バイパス通路３２が形成されている。この後席用冷風バイパス通路３２には蒸発器１２の凝縮水を排出するための下方への傾斜面３３を形成し、その最も低い部位に凝縮水排出パイプ３４を形成している。
【００３２】
また、ヒータコア１３の空気下流側部位には、後席用流路１９に対向するように後席用切替ドア３５が回転軸３６により回動可能に配置されている。この後席用切替ドア３５は、ヒータコア１３の後席用流路１９と前席用温風通路２３または後席用温風通路３７との連通を切替えるものである。後席用温風通路３７は、ヒータコア１３の後席用流路１９の空気下流側を下方側へ導く通路である。
【００３３】
なお、切替ドア３５は、後述するように前席側の吹出モードと連動して操作されるため、切替ドア３５の回転軸３６を、図示しないリンク機構を介して、サーボモータ等からなる前席吹出モード切替用アクチュエータ機構に連結して、このアクチュエータ機構により連動操作するようになっている。
そして、後席用温風通路３７と後席用冷風バイパス通路３２との合流部位に平板状の後席用エアミックスドア３８が回転軸３９により回動可能に配置されている。この後席用エアミックスドア３８は後席用温風通路３７からの温風と後席用冷風バイパス通路３２からの冷風との風量割合を調整して車室内後席側への吹出空気温度を調整する後席側温度調整手段を構成する。後席用温風通路３７からの温風と後席用冷風バイパス通路３２からの冷風は後席用空気混合部４０において混合して所望温度の空気となる。
【００３４】
回転軸３９は水平方向（車両幅方向）に配置され、その一端部は空調ケース１１の外部に突出して、図示しないリンク機構を介して、サーボモータ等を用いた独立のアクチュエータ機構に連結され、このアクチュエータ機構により後席用エアミックスドア３８の回動位置を調整するようになっている。
後席用空気混合部４０の下流側（車両後方側）には平板状の後席用吹出モード切替ドア４１が回転軸４２により回動可能に配置され、後席用空気混合部４０で混合した所望温度の空気は、後席用吹出モード切替ドア４１により選択された後席用のフェイス開口部４３または後席用のフット開口部４４に向かって車両後方側へ流れ、さらに、ここから図示しない接続ダクトを経て後席用のフェイス吹出口または後席用のフット吹出口から後席乗員の頭部側または足元側へ吹出す。
【００３５】
後席用吹出モード切替ドア４１の回転軸４２は、空調ケース１１に回転自在に支持され、かつ回転軸４２の一端部は空調ケース１１の外部に突出して、図示しないリンク機構を介して、サーボモータ等を用いた独立のアクチュエータ機構に連結され、このアクチュエータ機構により後席用吹出モード切替ドア４１の操作位置を独立に設定する。
【００３６】
図３は本第１実施形態における電気制御の概要を示すブロック図であり、空調用電子制御装置（ＥＣＵ）５０により各種空調機器を自動制御するようになっている。このＥＣＵ５０はマイクロコンピュータ等から構成されるもので、送風機ユニット１および空調ユニット２に装備される各種空調機器を予め設定されたプログラムに従って制御するものである。なお、ＥＣＵ５０は、自動車エンジンのイグニッションスイッチ（図示せず）がオンされたときに、車載バッテリー（図示せず）から電源が供給される。
【００３７】
ＥＣＵ５０には周知のセンサ群５１からのセンサ信号、車室内前方の計器盤部に設置される空調用の前席側操作パネル５２、および車室内後席側に設置される空調用の後席側操作パネル５３からの操作信号が入力される。センサ群５１としては、周知のごとく車室外温度（外気温）を検出する外気温センサ５４、車室内温度（内気温）を検出する内気温センサ５５、車室内への日射量を検出する日射センサ５６、蒸発器１２の吹出空気温度を検出する蒸発器後温度センサ５７、ヒータコア１３への温水温度を検出する水温センサ５８等が設けられる。
【００３８】
前席側操作パネル５２には、前席側温度設定器５９、前席側風量設定器６０、前席側吹出モード設定器６１、内外気モード設定器６２等が設けられ、同様に、後席側操作パネル５３にも後席側温度設定器６３、後席側吹出モード設定器６４等が設けられる。
次に、ＥＣＵ５０により制御される各種空調機器の駆動手段として、内外気切替ドア６の駆動用モータ６６、送風ファン７の駆動用モータ８、前席用エアミックスドア２０のアクチュエータ機構の駆動用モータ６７、前席用吹出モードドア２６、３１および切替ドア３５のアクチュエータ機構の駆動用モータ６８、後席用エアミックスドア３８のアクチュエータ機構の駆動用モータ６９、および後席用吹出モード切替ドア４１のアクチュエータ機構の駆動用モータ７０等が設けられている。
【００３９】
次に、上記構成において本実施形態の作動を説明すると、本実施形態の車両用空調装置は吹出モード切替用のドア手段をなすデフロスタドア２６とフットフェイス切替用ドア３１の操作位置を選択することにより、以下の吹出モードを設定できる。
（１）フェイス吹出モード
いま、前席側吹出モード設定器６１からの信号もしくは、ＥＣＵ５０内での吹出モード算出結果に基づいてフェイス吹出モードが選択されると、デフロスタドア２６を図２の実線位置に操作して、デフロスタ開口部２５を閉じるとともに連通口２８を全開する。また、フットフェイス切替用ドア３１を図２の実線位置に操作してフット開口部３０の入口部３０ａを閉じる。
【００４０】
切替ドア３５はフェイス吹出モード時には図２の実線位置（通常位置）に操作されて、ヒータコア１３の流路を前席用流路１８と後席用流路１９とを仕切っている。また、後席用吹出モード切替ドア４１は、図２の実線位置に操作されて、後席用のフェイス開口部４３を開口し、後席用のフット開口部４４を閉塞する。このとき、前席用エアミックスドア２０を図２の実線位置に操作すると、ヒータコア１３の前席用流路１８を全閉し、冷風バイパス通路１５を全開する最大冷房状態が設定される。この状態において、送風機ユニット１および冷凍サイクルが運転されると、送風機ユニット１からの送風空気が空気入口１４より流入した後、蒸発器１２で冷却されて冷風となる。
【００４１】
最大冷房状態ではこの冷風がそのまま、前席用冷風バイパス通路１５を通過して前席用空気混合部２４、および連通口２８を経て前席用フェイス開口部２９へ向かい、前席用フェイス吹出口から前席乗員の頭部に向けて冷風が吹き出す。
一方、後席用エアミックスドア３８を図２の実線位置に操作すると、ヒータコア１３の後席用流路１９での空気流れが遮断されるので、蒸発器１２出口からの冷風がそのまま、後席用冷風バイパス通路３２を通過して後席用空気混合部４０を経て後席用フェイス開口部４３へ向かい、後席用フェイス吹出口から後席乗員の頭部に向けて冷風が吹き出す。
【００４２】
車室内吹出空気温度の制御のために、前席用エアミックスドア２０を図２の実線位置（最大冷房位置）から中間開度位置に操作すると、前席用エアミックスドア２０の開度位置に従って冷風の大部分が前席用冷風バイパス通路１５を通過し、残余の一部の冷風はヒータコア１３の前席用流路１８に流入して加熱され、温風となり、前席用温風通路２３を上昇する。そして、前席用冷風バイパス通路１５の冷風と前席用温風通路２３からの温風とが前席用空気混合部２４にて混合され、所望温度に調整される。
【００４３】
同様に、後席側においても、後席用エアミックスドア３８を図２の実線位置（最大冷房位置）から中間開度位置に操作すると、後席用エアミックスドア３８の開度位置に従って後席用冷風バイパス通路３２からの冷風と、後席用温風通路３７からの温風との風量割合を調整でき、後席用空気混合部４０にて冷風と温風が混合され、所望温度に調整できる。従って、前席用エアミックスドア２０と後席用エアミックスドア３８の操作位置（回動位置）をそれぞれ独立に制御することにより、前席側と後席側のフェイス吹出空気温度を独立に制御できる。
【００４４】
（２）バイレベル吹出モード
デフロスタドア２６を図２の実線位置に操作するとともに、フットフェイス切替用ドア３１を図２の実線位置と一点鎖線位置との中間位置に操作して前席用フェイス開口部２９と前席用フット開口部３０の入口部３０ａをともに開放する。また、切替ドア３５はバイレベル吹出モード時でも図２の実線位置（通常位置）に操作されて、ヒータコア１３の流路を前席用流路１８と後席用流路１９とを仕切っている。また、後席用吹出モード切替ドア４１は、図２の実線位置から中間位置に操作されて、後席用のフェイス開口部４３および後席用のフット開口部４４をともに開口する。
【００４５】
バイレベル吹出モードは、通常、春秋の中間シーズンで用いられるので、前席用エアミックスドア２０が中間開度位置に操作され、所望温度に調整された風が、前席用フェイス開口部２９と前席用フット開口部３０の両方から車室内の上下に同時に吹き出す。
また、後席用エアミックスドア３８を中間開度位置に操作することにより、後席側でも所望温度に調整された風をフェイス開口部４３とフット開口部４４の両方から車室内の上下に同時に風を吹き出すことができる。
【００４６】
（３）フット吹出モード
デフロスタドア２６を図２の実線位置からデフロスタ開口部２５を少量開放するとともに連通口２８を開放（ほぼ全開）する位置に操作する。また、フットフェイス切替用ドア３１は図２の一点鎖線位置に操作して前席用フェイス開口部２９を閉塞し、前席用フット開口部３０の入口部３０ａを全開する。切替ドア３５はフット吹出モード時でも図２の実線位置（通常位置）に操作されて、ヒータコア１３の流路を前席用流路１８と後席用流路１９とを仕切っている。また、後席用吹出モード切替ドア４１は、図２の一点鎖線位置に操作されて、後席用のフェイス開口部４３を閉塞し、後席用のフット開口部４４を開口する。
【００４７】
このとき、前席用エアミックスドア２０を図２の一点鎖線位置２０ａに操作すると、冷風バイパス通路１５を全閉し、ヒータコア１３の前席用流路１８を全開する最大暖房状態が設定される。この状態では、送風機ユニット１からの送風空気が空気入口１４より流入した後、蒸発器１２を通過してヒータコア１３の前席用流路１８に流入して加熱され、温風となる。この温風は温風通路２３を上昇して前席用空気混合部２４に至り、ここから連通口２８を経て前席用フット開口部３０へ向かい、ここから前席乗員の足元部に向けて温風が吹き出す。
【００４８】
また、このとき、後席用エアミックスドア３８を図２の一点鎖線位置に操作して、後席用冷風バイパス通路３２を全閉し、後席用温風通路３７を全開すると、ヒータコア１３の後席用流路１９で加熱された温風が温風通路３７、後席用空気混合部４０を通過して後席用フット開口部４４に向かう。さらに、この後席用フット開口部４４から後席用のフット吹出口を経て後席乗員の足元部に向けて温風が吹き出す。
【００４９】
前席用エアミックスドア２０および後席用エアミックスドア３８をそれぞれ独立に図２の一点鎖線位置（最大暖房位置）から任意の中間開度位置に操作すると、前席側およひ後席側の双方において冷風と温風との混合割合をそれぞれ独立に調整することができ、これにより、前席側と後席側のフット吹出空気温度を独立に制御できる。
【００５０】
なお、フット吹出モードでは、前席側において、デフロスタ開口部２５からの吹出風量と前席用フット開口部３０からの吹出風量との割合は通常、２対８程度の割合であるが、デフロスタドア２６を、フット吹出モードの場合よりデフロスタ開口部２５の開口度合いが増加し、連通口２８の開口度合いが減少する位置に操作すれば、デフロスタ開口部２５からの吹出風量と前席用フット開口部３０からの吹出風量との割合を５対５程度の割合にすることができる。
【００５１】
これにより、フット吹出モードよりも窓ガラスの曇り止め効果の高いフットデフロスタ吹出モードを設定できる。
（４）デフロスタ吹出モード
乗員が前席側吹出モード設定器６１を操作して、デフロスタ吹出モードが選択れると、ＥＣＵ５０はデフロスタドア２６を図２の一点鎖線位置に操作して、デフロスタ開口部２５を全開し、連通口２８を閉塞する。また、ＥＣＵ５０はデフロスタ吹出モードの選択に伴って切替ドア３５を図２の実線位置（通常位置）から一点鎖線位置に操作し、切替ドア３５により後席用温風通路３７を全閉する。また、これと同時に、ＥＣＵ５０はデフロスタ吹出モードの選択に伴って後席用エアミックスドア３８を図２の一点鎖線位置（最大暖房位置）に操作し、後席用冷風バイパス通路３２を全閉する。
【００５２】
以上の結果、前席用エアミックスドア２０を図２の一点鎖線位置（最大暖房位置）２０ａに操作すれば、送風機ユニット１からの送風空気の全量をヒータコア１３の前席用流路１８と後席用流路１９の両方で加熱した後、この温風の全量を前席用温風通路２３、デフロスタ開口部２５を通して、デフロスタ吹出口から車両前面窓ガラスに向けて吹き出し、前面窓ガラスの曇り止めを行う。
【００５３】
従って、前席側と後席側の独立温度制御方式の機能を有する装置であっても、デフロスタ吹出モードの選択時には、ヒータコア１３の全加熱能力を利用して、デフロスタ能力（窓ガラス曇り除去能力）を最大限向上できる。また、後席用エアミックスドア３８が後席用冷風バイパス通路３２を全閉することにより、後席側へ冷風が吹き出すことを防止できるとともに、後席側への無駄な吹出を停止して送風機ユニット１の全送風能力をすべてデフロスタ能力向上のために利用できる。
【００５４】
（第２実施形態）
上記の第１実施形態では、切替ドア３５を前席側の吹出モード用ドア２６、３１の駆動用アクチュエータ（モータ６８）にリンク機構を介して連結することにより、切替ドア３５をデフロスタ吹出モード時に図２の一点鎖線位置（ヒータコア１３の後席用流路１９を前席用温風通路２３に連通させる位置）に操作しているが、第２実施形態では切替ドア３５を前席側の吹出モード用ドア２６、３１の駆動用アクチュエータ（モータ６８）とは独立のアクチュエータで駆動するようにしている。
【００５５】
図４は第２実施形態による電気制御のブロック図であり、前席側操作パネル５２に後席側吹出シャットスイッチ６５が追加設置してある。この後席側吹出シャットスイッチ６５は後席側に乗員が乗車しておらず、後席側への空気吹出の必要がない場合、あるいは後席乗員が後席側への空気吹出を希望しない場合に操作する。また、空調機器の駆動手段として、切替ドア３５専用のアクチュエータ機構の駆動用モータ７１が独立に設けてある。
【００５６】
第２実施形態によると、各吹出モードごとの作動は上記第１実施形態と同じであり、デフロスタ吹出モードの際は切替ドア３５を図２の一点鎖線位置に、また、後席用エアミックスドア３８を図２の一点鎖線位置（最大暖房位置）にそれぞれ操作する。
これに加え、後席側への空気吹出を必要としない場合に、乗員が後席側吹出シャットスイッチ６５を操作すると、ＥＣＵ５０が後席側吹出シャットスイッチ６５からの入力信号に基づいて切替ドア３５を図２の一点鎖線位置に、また、後席用エアミックスドア３８を図２の一点鎖線位置（最大暖房位置）にそれぞれ操作する。従って、例えば、フット吹出モードの際に、ヒータコア１３の全加熱能力を利用して、前席側の足元暖房を行うことができ、前席側の暖房能力を向上できる。
【図面の簡単な説明】
【図１】本発明の第１実施形態による車両用空調装置の通風系全体の概略断面図である。
【図２】図１における空調ユニット部の縦断面図である。
【図３】第１実施形態による電気制御のブロック図である。
【図４】第２実施形態による電気制御のブロック図である。
【符号の説明】
１１…空調ケース、１２…蒸発器、１３…ヒータコア、
１５…前席用冷風バイパス通路、１８…前席用流路、１９…後席用流路、
２０…前席用エアミックスドア、２５…デフロスタ開口部、
２９…前席用フェイス開口部、３０…前席用フット開口部、
３２…後席用冷風バイパス通路、３５…切替ドア、
３８…後席用エアミックスドア、４３…後席用フェイス開口部、
４４…後席用フット開口部、６１…前席用吹出モード設定器、
６５…後席側吹出シャットスイッチ、７１…切替ドア駆動用モータ。
【図１】
0003572955.tif 000002
【図２】
0003572955.tif 000003
【図３】
0003572955.tif 000004
【図４】
0003572955.tif 000005